(57)【要約】【課題】点検蓋を開くのみで止水装置を自動的に閉じて給水を停止し、点検蓋を閉じるのみで止水装置を自動的に開いて給水でき、からんの点検作業を容易に行う。【解決手段】壁パネル１の表面側に配設したからん２に給水するための給水管３を壁パネル１の裏側に通す。給水管３のからん２接続部位よりも上流側に設けた止水装置４を壁パネル１の裏側に位置させる。止水装置４に突出方向のばね力を付与された移動自在な操作部５を突設する。操作部５をばね力に抗して押圧すると止水装置４が開き且つ操作部５の押圧を解除すると止水装置４が閉じるように構成する。操作部５を壁パネル１に設けた点検口６に対向させ、点検口６に開閉自在に点検蓋７を取付ける。点検蓋７で点検口６を閉じた状態で止水装置４の操作部５を点検蓋７により押圧して止水装置４を開くように構成する。【選択図】        図１
2004313382.tif 000002
【特許請求の範囲】
【請求項１】
壁パネルの表面側に配設したからんに給水するための給水管を壁パネルの裏側に通し、給水管のからん接続部位よりも上流側に設けた止水装置を壁パネルの裏側に位置させ、止水装置に突出方向のばね力を付与された移動自在な操作部を突設し、該操作部をばね力に抗して押圧すると止水装置が開き且つ操作部の押圧を解除すると止水装置が閉じるように構成し、操作部を壁パネルに設けた点検口に対向させ、点検口に開閉自在に点検蓋を取付け、点検蓋で点検口を閉じた状態で止水装置の操作部を点検蓋により押圧して止水装置を開くように構成して成ることを特徴とする止水装置の開閉構造。
【請求項２】
壁パネルの表面側に内部が空間となった膨出部を張り出し、膨出部の表面側にからんを配設し、該からんに給水するための給水管を膨出部内に通し、給水管のからん接続部位よりも上流側に設けた止水装置を膨出部内に位置させ、止水装置に突出方向のばね力を付与された移動自在な操作部を突設し、該操作部をばね力に抗して押圧すると止水装置が開き且つ操作部の押圧を解除すると止水装置が閉じるように構成し、操作部を膨出部に設けた点検口に対向させ、点検口に開閉自在に点検蓋を取付け、点検蓋で点検口を閉じた状態で止水装置の操作部を点検蓋により押圧して止水装置を開くように構成して成ることを特徴とする止水装置の開閉構造。
【発明の詳細な説明】
【０００１】
【発明の属する技術分野】
本発明は、からんを点検する際に閉じてからん側に水が給水されないようにするための止水装置の開閉構造に関するものである。
【０００２】
【従来の技術】
従来から浴室ユニットなどにおいては、壁パネルの表面側にからんを配設したり、あるいは壁パネルの表面側に内部が空間となった膨出部を張り出し、膨出部の表面（前面又は上面）側にからんを配設しており、更に、壁パネルや膨出部には着脱自在な点検蓋を取付けた点検口を設けている。（例えば、特許文献１、特許文献２参照）
しかしながら、上記特許文献１や、特許文献２において、からんの点検を行うためには、点検蓋を外して点検口を開き、点検口から手を差し込んで給水管の途中に設けられた止水装置を操作して閉じることでからん側への給水を停止した状態で、からんの点検を行わなければならず、また、点検が終了すると止水装置を開く作業を行わなければならず、からんの点検操作が非常に面倒であるという問題がある。
【０００３】
【特許文献１】
特開昭６０−８０４１８号公報
【特許文献２】
特開昭６１−８９０６６号公報
【０００４】
【発明が解決しようとする課題】
本発明は上記の点に鑑みてなされたものであり、からんの点検に当たって、点検蓋を開くのみで止水装置を自動的に閉じて給水を停止し、点検が終了して点検蓋を閉じるのみで止水装置を自動的に開いて給水でき、からんの点検作業が容易に行える止水装置の開閉構造を提供することを課題とするものである。
【０００５】
【課題を解決するための手段】
上記課題を解決するために本発明に係る止水装置の開閉構造は、壁パネル１の表面側に配設したからん２に給水するための給水管３を壁パネル１の裏側に通し、給水管３のからん２接続部位よりも上流側に設けた止水装置４を壁パネル１の裏側に位置させ、止水装置４に突出方向のばね力を付与された移動自在な操作部５を突設し、該操作部５をばね力に抗して押圧すると止水装置４が開き且つ操作部５の押圧を解除すると止水装置４が閉じるように構成し、操作部５を壁パネル１に設けた点検口６に対向させ、点検口６に開閉自在に点検蓋７を取付け、点検蓋７で点検口６を閉じた状態で止水装置４の操作部５を点検蓋７により押圧して止水装置４を開くように構成して成ることを特徴とするものである。
【０００６】
このような構成とすることで、からん２の点検に当たって、点検蓋７を取外したりあるいは開いたりして点検口６を開とすると、点検蓋７による操作部５の押圧が解除されて止水装置４が閉じて、からん２への給水が停止されるので、からん２の点検が行えるものである。この場合、壁パネル１の表面側においてからん自体を点検したり、あるいは、壁パネル１の表面側から又は点検口６を利用して壁パネル１の裏側から給水管３とからん２との接続部分を点検したりするものであり、また、からん２の点検時に同時に壁パネル１の裏面側に配置された配管の点検も行えるものである。
【０００７】
また、壁パネル１の表面側に内部が空間となった膨出部８を張り出し、膨出部８の表面側にからん２を配設し、該からん２に給水するための給水管３を膨出部８内に通し、給水管３のからん２接続部位よりも上流側に設けた止水装置４を膨出部８内に位置させ、止水装置４に突出方向のばね力を付与された移動自在な操作部５を突設し、該操作部５をばね力に抗して押圧すると止水装置４が開き且つ操作部５の押圧を解除すると止水装置４が閉じるように構成し、操作部５を膨出部８に設けた点検口６に対向させ、点検口６に開閉自在に点検蓋７を取付け、点検蓋７で点検口６を閉じた状態で止水装置４の操作部５を点検蓋７により押圧して止水装置４を開くように構成して成ることを特徴とするものであってもよい。
【０００８】
このような構成とすることで、からん２の点検に当たって、点検蓋７を取外したりあるいは開いたりして点検口６を開とすると、操作部５による押圧が解除されて止水装置４が閉じ、からん２への給水が停止されるので、からん２の点検が行えるものである。この場合、膨出部８の表面側においてからん自体を点検したり、あるいは、膨出部８の表面側から、又は点検口６を利用して膨出部８の内側から給水管３とからん２との接続部分を点検したりするものであり、また、からん２の点検時に同時に膨出部８の内部に配置された配管の点検も行えるものである。
【０００９】
【発明の実施の形態】
以下、本発明を添付図面に示す実施形態に基づいて説明する。
【００１０】
図１乃至図３には本発明の一実施形態が示してある。本実施形態においては、浴室ユニットなどの壁パネル１の裏面側に給水管３（ここで給水管３は水を供給する管だけでなく、湯を供給する管も含む）が配置してある。つまり、実施形態においては建物躯体の壁体と浴室ユニットなどの壁パネル１との間の空間に給水管３が配置してある。また、浴室などの壁パネル１として、ミラーなどを取付けたり、収納部を備えたいわゆる機能壁パネルであってもよい。
【００１１】
上記壁パネル１には孔９が設けてあり、この孔９に上記壁パネル１の裏面側に配置される給水管３の先端接続部又は壁パネル１の表面側に配設されるからん２の接続部を挿通し、給水管３の先端接続部とからん２の接続部とを接続することで、壁パネル１の表面側にからん２が取付けられる。
【００１２】
壁パネル１の裏面側において給水管３にはからん２接続部位よりも上流側に止水装置４が設けてある。この止水装置４には止水装置４を開閉操作するための操作部５が移動自在に突設してあり、操作部５は止水装置４から突出する方向にばね１１によりばね力を付勢してある。
【００１３】
止水装置４は例えば図３に示すようなもので、止水装置４の外殻を構成する外殻体１２内を仕切板部１３により入水ロ１４に連通した入側室１５と出水口１６に連通した出側室１７とに仕切ってあり、仕切板部１３には入側室１５と出側室１７とを連通する弁孔１８が設けてあり、更に止水装置４内には該弁孔１８を開閉自在とする弁部１９が設けてある。弁部１９には棒状をした操作部５が固着してあり、操作部５は外殻体１２に設けた孔に移動自在に挿通してあって、先端部が外殻体１２の外部に突出している。この操作部５を挿通する孔はシール機構（図示せず）によりシールしてあって、水漏れしないようになっている。弁部１９にはばね１１が取付けてあり、該ばね１１により操作部５に突出方向のばね力が付勢してあり、このため、操作部５に突出方向と反対方向の外力が作用しない場合には、図３（ａ）のようにばね１１のばね力により操作部５が突出方向に移動すると共に弁部１９が移動し、弁部１９が仕切板部１３の弁孔１８を閉じ、出水口１６側に連通するからん２への給水が停止されるようになっている。一方、操作部５をばね１１のばね力に抗して図３（ｂ）の矢印方向に押圧すると弁部１９が弁孔１８から離れて弁孔１８を開にしてからん２へ給水されるようになっている。
【００１４】
壁パネル１には点検口６が設けてあり、止水装置４から突出した操作部５の先端部が点検口６に位置している。点検口６には点検口６を開閉自在とする点検蓋７が取付けられるものであり、添付図面に示す実施形態においては、点検蓋７はねじ具２０により壁パネル１に着脱自在に取付けて、点検口６を開閉自在としたり、あるいは、点検蓋７を点検口６の一側縁部に回動自在に取付け、点検蓋７で点検口６を閉じた状態でロック手段やねじ具等により点検蓋７が開かないように閉状態を維持するようにすると共にロック手段によるロック解除やねじ具の取り外しをおこなって点検蓋７を回動することで点検口６を開くようにしてもよい。
【００１５】
点検蓋７を取付けて点検口６を閉じた状態で、止水装置４から突出している操作部５をばね１１に抗して点検蓋７により押圧して弁部１９により弁孔１８を開くようになっている。
【００１６】
つまり、点検蓋７で点検口６を閉じた状態では止水装置４が開となり、点検蓋７を取り外したり、回動したりして開いて点検口６を開にした状態では止水装置４がばね１１により閉となるように構成してある。
【００１７】
しかして、からん２の点検に当たっては、点検蓋７を取外したりあるいは開いたりして点検口６を開にし、この状態でからん２自体の点検や給水管３とからん２との接続部分の点検をするものである。すなわち、点検口６を開にすると、点検蓋７による操作部５の押圧が解除されて止水装置４が閉じ、からん２への給水が停止されるので、からん２の点検が行えるものである。この場合、壁パネル１の表面側においてからんを点検したり、あるいは、点検口６から壁パネル１の裏側において給水管３とからん２との接続部分を点検したりするものであり、また、からん２の点検時に同時に壁パネル１の裏面側に配置された給水管３やその他の配管の点検も行えるものである。
【００１８】
点検が終わると、点検蓋７を取付けて点検口６を閉じることで、点検蓋７により操作部５を押圧して止水装置４を開にしてからん２に自動的に給水する。
【００１９】
次に、本発明の他の実施形態を図４〜図６に基づいて説明する。
【００２０】
本実施形態においては、浴室ユニットの壁パネルのような壁パネル１の表面側に内部が空間となった上面がカウンター部となった膨出部８を張り出して形成してある。
【００２１】
膨出部８内には壁パネル１の裏面側から給水管３が導入して配置してある。
【００２２】
上記膨出部８の前面又は上面には孔２１が設けてあり、孔２１に上記膨出部８内に配置される給水管３の先端接続部又は膨出部８の表面側（前面側又は上面側）に配設されるからん２の接続部を挿通し、給水管３の先端接続部とからん２の接続部とを接続することで、膨出部８の表面側の前面又は上面にからん２が取付けられる。
【００２３】
膨出部８内において給水管３にはからん２接続部位よりも上流側に前述のような構成の止水装置４が設けてある。
【００２４】
膨出部８の上面又は前面には点検口６が設けてあり、止水装置４から突出した操作部５の先端部が点検口６に位置している。点検口６には点検口６を開閉自在とする点検蓋７が取付けられ、点検蓋７を取付けて点検口６を閉じた状態で、止水装置４から突出している操作部５をばね１１に抗して点検蓋７により押圧して弁部１９により弁孔１８を開くようになっており、また、点検蓋７を開いて点検口６を開にした状態では止水装置４がばね１１により閉となるように構成してある。なお、本実施形態では点検蓋７が膨出部８の上面のカウンター部を兼用しているものである。
【００２５】
しかして、本実施形態においても前述の実施形態と同様に、からん２の点検に当たっては、点検蓋７を取外したりあるいは開いたりして点検口６を開にすることで、止水装置４を閉じ、この状態でからん２自体の点検や給水管３とからん２との接続部分の点検をする。
【００２６】
点検が終わると、点検蓋７を取付けて点検口６を閉じることで、点検蓋７により操作部５を押圧して止水装置４を開にしてからん２に自動的に給水する。
【００２７】
【発明の効果】
上記のように本発明の請求項１記載の発明にあっては、壁パネルの裏面側に配置した止水装置の操作部をばね力に抗して押圧すると止水装置が開き且つ操作部の押圧を解除すると止水装置が閉じるように構成し、操作部を壁パネルに設けた点検口に対向させ、点検口に開閉自在に点検蓋を取付け、点検蓋で点検口を閉じた状態で止水装置の操作部を点検蓋により押圧して止水装置を開くように構成してあるので、からんの点検に当たっては、点検蓋を開にして点検口を開とするだけで、自動的に止水装置を閉じてからんへの給水を停止でき、この状態でからんの点検ができるものであり、止水装置を手で操作して閉じる必要がないので、作業が容易に行えるものである。
【００２８】
また、請求項２記載の発明にあっては、壁パネルから突出した膨出部内に配置した止水装置の操作部をばね力に抗して押圧すると止水装置が開き且つ操作部の押圧を解除すると止水装置が閉じるように構成し、操作部を膨出部に設けた点検口に対向させ、点検口に開閉自在に点検蓋を取付け、点検蓋で点検口を閉じた状態で止水装置の操作部を点検蓋により押圧して止水装置を開くように構成してあるので、からんの点検に当たっては、点検蓋を開にして点検口を開とするだけで、自動的に止水装置を閉じてからんへの給水を停止でき、この状態でからんの点検ができるものであり、止水装置を手で操作して閉じる必要がないので、作業が容易に行えるものである。
【図面の簡単な説明】
【図１】本発明の一実施形態の断面図である。
【図２】同上のからんの点検のために点検口を開としている状態の断面図である。
【図３】同上の止水装置の一例を示し、（ａ）は止水装置の閉状態を示す断面図であり、（ｂ）は止水装置の開状態を示す断面図である。
【図４】本発明の他の実施形態の正面図である。
【図５】同上の断面図である。
【図６】同上のからんの点検のために点検口を開としている状態の断面図である。
【符号の説明】
１  壁パネル
２  からん
３  給水管
４  止水装置
５  操作部
６  点検口
７  点検蓋
８  膨出部
【図１】
2004313382.tif 000003
【図２】
2004313382.tif 000004
【図３】
2004313382.tif 000005
【図４】
2004313382.tif 000006
【図５】
2004313382.tif 000007
【図６】
2004313382.tif 000008